(57)【特許請求の範囲】
【請求項１】
アップリンク・メジャーメント・リファレンス信号を送信する方法であって、前記方法はユーザー装置に適用され：
ネットワーク側デバイスのダウンリンク・チャネルのダウンリンク干渉情報を取得するステップ；及び
アップリンク・メジャーメント・リファレンス信号を前記ネットワーク側デバイスへ送信するステップであって、前記アップリンク・メジャーメント・リファレンス信号は前記ダウンリンク干渉情報を運ぶ、ステップ；
を含み、前記アップリンク・メジャーメント・リファレンス信号を前記ネットワーク側デバイスへ送信するステップは、ビームフォーミング・マトリクスＶを利用することによりビームフォーミングされた第２アップリンク・メジャーメント・リファレンス信号と、前記ビームフォーミング・マトリクスＶを利用することによりビームフォーミングされた第２アップリンク・メジャーメント・リファレンス信号を、前記ダウンリンク干渉情報を利用することにより、２回目にビームフォーミングすることにより取得された第２アップリンク・メジャーメント・リファレンス信号とを送信するステップを含む、方法。
【請求項２】
前記アップリンク・メジャーメント・リファレンス信号を前記ネットワーク側デバイスへ送信するステップは、ビームフォーミング・マトリクスＶを利用することによりビームフォーミングされた第２アップリンク・メジャーメント・リファレンス信号と、前記２回目にビームフォーミングすることにより取得された第２アップリンク・メジャーメント・リファレンス信号とを、複合信号として又は別々に送信される信号として送信するステップを含む、請求項１に記載の方法。
【請求項３】
前記ユーザー装置により、アップリンク・メジャーメント・リファレンス信号を前記ネットワーク側デバイスへ送信する前記ステップは：
ビームフォーミング・マトリクスＶを利用することによりビームフォーミングされた第２アップリンク・メジャーメント・リファレンス信号を、前記ネットワーク側デバイスへ送信するステップ；
前記ビームフォーミング・マトリクスＶを利用することによりビームフォーミングされた第２アップリンク・メジャーメント・リファレンス信号を、前記ダウンリンク干渉情報を利用することにより、２回目用にビームフォーミングするステップ；及び
２回目にビームフォーミングされた第２アップリンク・メジャーメント・リファレンス信号を、前記ネットワーク側デバイスへ送信するステップ；
を含む、請求項１に記載の方法。
【請求項４】
前記ユーザー装置により、ビームフォーミング・マトリクスＶを利用することによりビームフォーミングされた第２アップリンク・メジャーメント・リファレンス信号を、前記ネットワーク側デバイスへ送信する前記ステップの前に、前記方法は更に：
前記ユーザー装置により、前記ネットワーク側により送信されたコードブック情報を受信し、前記コードブック情報に基づいて前記ビームフォーミング・マトリクスＶを取得するステップ；
を含む、請求項３に記載の方法。
【請求項５】
前記ユーザー装置により、ネットワーク側デバイスのダウンリンク・チャネルのダウンリンク干渉情報を取得する前記ステップの前に、前記方法は更に：
前記ネットワーク側デバイスにより送信された命令メッセージを受信するステップであって、前記命令メッセージは、前記ダウンリンク干渉情報を前記ネットワーク側デバイスへ送信することを、前記ユーザー装置に命令するために使用される、ステップ；
を含む、請求項１ないし４のうちの何れか１項に記載の方法。
【請求項６】
前記ユーザー装置により、ネットワーク側デバイスのダウンリンク・チャネルのダウンリンク干渉情報を取得する前記ステップの前に、前記方法は更に：
前記ネットワーク側デバイスにより送信された命令メッセージを受信するステップであって、前記命令メッセージは、初期の第１アップリンク・メジャーメント・リファレンス信号と、前記ダウンリンク干渉情報を利用することによりビームフォーミングされた第１アップリンク・メジャーメント・リファレンス信号とを送信することを、前記ユーザー装置に命令するために使用される、ステップ；又は
前記ネットワーク側デバイスにより送信された命令メッセージを受信するステップであって、前記命令メッセージは、前記ビームフォーミング・マトリクスＶを利用することによりビームフォーミングされた第２アップリンク・メジャーメント・リファレンス信号と、２回目にビームフォーミングされた第２アップリンク・メジャーメント・リファレンス信号とを送信することを、前記ユーザー装置に命令するために使用される、ステップ；
を含む、請求項３に記載の方法。
【請求項７】
前記ユーザー装置は、同じ時間ドメイン・リソース又は隣接する時間ドメイン・リソースを利用することにより、初期の第１アップリンク・メジャーメント・リファレンス信号と、前記ダウンリンク干渉情報を利用することによりビームフォーミングされた第１アップリンク・メジャーメント・リファレンス信号とを送信する；又は
前記ユーザー装置は、同じ周波数ドメイン・リソース又は隣接する周波数ドメイン・リソースを利用することにより、前記初期の第１アップリンク・メジャーメント・リファレンス信号と、前記ダウンリンク干渉情報を利用することによりビームフォーミングされた第１アップリンク・メジャーメント・リファレンス信号とを送信する；又は
前記ユーザー装置は、同じサイクリック・シフト又は異なるサイクリック・シフトを利用することにより、前記初期の第１アップリンク・メジャーメント・リファレンス信号と、前記ダウンリンク干渉情報を利用することによりビームフォーミングされた第１アップリンク・メジャーメント・リファレンス信号とを送信する；
請求項２に記載の方法。
【請求項８】
アップリンク・メジャーメント・リファレンス信号を受信する方法であって、前記方法はネットワーク側デバイスに適用され：
ユーザー装置により送信されたアップリンク・メジャーメント・リファレンス信号を受信するステップであって、前記アップリンク・メジャーメント・リファレンス信号は、前記ネットワーク側デバイスのダウンリンク・チャネルのダウンリンク干渉情報を運ぶ、ステップ；及び
前記ダウンリンク干渉情報を取得するために、前記アップリンク・メジャーメント・リファレンス信号に対してダウンリンク干渉推定を実行するステップ；
を含み、前記アップリンク・メジャーメント・リファレンス信号を受信するステップは、ビームフォーミング・マトリクスＶを利用することによりビームフォーミングされた第２アップリンク・メジャーメント・リファレンス信号と、前記ビームフォーミング・マトリクスＶを利用することによりビームフォーミングされた第２アップリンク・メジャーメント・リファレンス信号を、前記ダウンリンク干渉情報を利用することにより、２回目にビームフォーミングすることにより取得された第２アップリンク・メジャーメント・リファレンス信号とを受信するステップを含む、方法。
【請求項９】
前記ダウンリンク干渉情報を取得するために、前記アップリンク・メジャーメント・リファレンス信号に対してダウンリンク干渉推定を実行する前記ステップは：
アップリンク・チャネル・マトリクスＨを取得するために、初期の第１アップリンク・メジャーメント・リファレンス信号に対してチャネル推定を実行するステップ；
前記アップリンク・チャネル・マトリクスＨとダウンリンク干渉情報Ｉとの積Ｈ＊Ｉを取得するために、前記ダウンリンク干渉情報を利用することによりビームフォーミングされた第１アップリンク・メジャーメント・リファレンス信号に対してチャネル推定を実行するステップ；及び
前記アップリンク・チャネル・マトリクスＨ及び前記積Ｈ＊Ｉに基づいて、前記ダウンリンク干渉情報を取得するステップ；
を含む、請求項８に記載の方法。
【請求項１０】
前記ネットワーク側デバイスにより、ユーザー装置により送信されたアップリンク・メジャーメント・リファレンス信号を受信する前記ステップの前に、前記方法は更に：
命令メッセージを前記ユーザー装置へ送信するステップであって、前記命令メッセージは、前記ダウンリンク干渉情報を前記ネットワーク側デバイスへ送信することを、前記ユーザー装置に命令するために使用される、ステップ；
を含む、請求項８又は９に記載の方法。
【請求項１１】
前記ダウンリンク干渉情報を取得するために、前記アップリンク・メジャーメント・リファレンス信号に対してダウンリンク干渉推定を実行する前記ステップは：
前記アップリンク・チャネル・マトリクスＨと前記ビームフォーミング・マトリクスＶとの積Ｈ＊Ｖを取得するために、前記ビームフォーミング・マトリクスＶを利用することによりビームフォーミングされた第２アップリンク・メジャーメント・リファレンス信号に対してチャネル推定を実行するステップ；
前記アップリンク・チャネル・マトリクスＨと、前記ビームフォーミング・マトリクスＶと、前記ダウンリンク干渉情報との積を取得するために、２回目にビームフォーミングされた第２アップリンク・メジャーメント・リファレンス信号に対してチャネル推定を実行するステップ；及び
Ｈ＊ＶとＨ＊Ｖ及び前記ダウンリンク干渉情報の積とに基づいて前記ダウンリンク干渉情報を取得するステップ；
を含む、請求項９に記載の方法。
【請求項１２】
前記ネットワーク側デバイスにより送信される前記命令メッセージは、アップリンク・メジャーメント・リファレンス信号スケジューリング・シグナリングである、請求項１０に記載の方法。
【請求項１３】
ネットワーク側デバイスのダウンリンク・チャネルのダウンリンク干渉情報を取得するように構成されるプロセッサ；及び
アップリンク・メジャーメント・リファレンス信号を前記ネットワーク側デバイスへ送信するように構成されるトランシーバであって、前記アップリンク・メジャーメント・リファレンス信号は前記ダウンリンク干渉情報を運ぶ、トランシーバ；
を含み、前記アップリンク・メジャーメント・リファレンス信号を前記ネットワーク側デバイスへ送信することは、ビームフォーミング・マトリクスＶを利用することによりビームフォーミングされた第２アップリンク・メジャーメント・リファレンス信号と、前記ビームフォーミング・マトリクスＶを利用することによりビームフォーミングされた第２アップリンク・メジャーメント・リファレンス信号を、前記ダウンリンク干渉情報を利用することにより、２回目にビームフォーミングすることにより取得された第２アップリンク・メジャーメント・リファレンス信号とを送信することを含む、ユーザー装置。
【請求項１４】
前記アップリンク・メジャーメント・リファレンス信号を前記ネットワーク側デバイスへ送信することは、ビームフォーミング・マトリクスＶを利用することによりビームフォーミングされた第２アップリンク・メジャーメント・リファレンス信号と、前記２回目にビームフォーミングすることにより取得された第２アップリンク・メジャーメント・リファレンス信号とを、複合信号として又は別々に送信される信号として送信することを含む、請求項１３に記載のユーザー装置。
【請求項１５】
前記トランシーバが、アップリンク・メジャーメント・リファレンス信号を前記ネットワーク側デバイスへ送信することは：
ビームフォーミング・マトリクスＶを利用することによりビームフォーミングされた第２アップリンク・メジャーメント・リファレンス信号を、前記ネットワーク側デバイスへ送信すること；
前記ビームフォーミング・マトリクスＶを利用することによりビームフォーミングされた第２アップリンク・メジャーメント・リファレンス信号を、前記ダウンリンク干渉情報を利用することにより、２回目用にビームフォーミングすること；及び
２回目にビームフォーミングされた第２アップリンク・メジャーメント・リファレンス信号を、前記ネットワーク側デバイスへ送信すること；
を含む、請求項１３に記載のユーザー装置。
【請求項１６】
前記トランシーバは：前記ビームフォーミング・マトリクスＶを利用することによりビームフォーミングされた第２アップリンク・メジャーメント・リファレンス信号を、前記ネットワーク側デバイスへ送信する前に、前記ネットワーク側デバイスにより送信されたコードブック情報を受信するように更に構成され、前記プロセッサは、前記コードブック情報に基づいて前記ビームフォーミング・マトリクスＶを取得するように更に構成される、請求項１５に記載のユーザー装置。
【請求項１７】
前記トランシーバは：前記プロセッサが前記ネットワーク側デバイスの前記ダウンリンク・チャネルの前記ダウンリンク干渉情報を取得する前に、前記ネットワーク側デバイスにより送信された命令メッセージを受信するように更に構成され、前記命令メッセージは、前記ダウンリンク干渉情報を前記ネットワーク側デバイスへ送信することを、前記ユーザー装置に命令するために使用される、請求項１３ないし１５のうちの何れか１項に記載のユーザー装置。
【請求項１８】
前記トランシーバは、同じ時間ドメイン・リソース又は隣接する時間ドメイン・リソースを利用することにより、初期の第１アップリンク・メジャーメント・リファレンス信号と、前記ダウンリンク干渉情報を利用することによりビームフォーミングされた第１アップリンク・メジャーメント・リファレンス信号とを送信する；又は
前記トランシーバは、同じ周波数ドメイン・リソース又は隣接する周波数ドメイン・リソースを利用することにより、前記初期の第１アップリンク・メジャーメント・リファレンス信号と、前記ダウンリンク干渉情報を利用することによりビームフォーミングされた第１アップリンク・メジャーメント・リファレンス信号とを送信する；又は
前記トランシーバは、同じサイクリック・シフト又は異なるサイクリック・シフトを利用することにより、前記初期の第１アップリンク・メジャーメント・リファレンス信号と、前記ダウンリンク干渉情報を利用することによりビームフォーミングされた第１アップリンク・メジャーメント・リファレンス信号とを送信する；
請求項１４に記載のユーザー装置。
【請求項１９】
ネットワーク側デバイスであって：
ユーザー装置により送信されたアップリンク・メジャーメント・リファレンス信号を受信するように構成されるトランシーバであって、前記アップリンク・メジャーメント・リファレンス信号は、前記ネットワーク側デバイスのダウンリンク・チャネルのダウンリンク干渉情報を運ぶ、トランシーバ；及び
前記ダウンリンク干渉情報を取得するために、前記アップリンク・メジャーメント・リファレンス信号に対してダウンリンク干渉推定を実行するように構成されるプロセッサ；
を含み、前記アップリンク・メジャーメント・リファレンス信号を受信することは、ビームフォーミング・マトリクスＶを利用することによりビームフォーミングされた第２アップリンク・メジャーメント・リファレンス信号と、前記ビームフォーミング・マトリクスＶを利用することによりビームフォーミングされた第２アップリンク・メジャーメント・リファレンス信号を、前記ダウンリンク干渉情報を利用することにより、２回目にビームフォーミングすることにより取得された第２アップリンク・メジャーメント・リファレンス信号とを受信することを含む、ネットワーク側デバイス。
【請求項２０】
前記トランシーバにより受信される前記アップリンク・メジャーメント・リファレンス信号は、初期の第１アップリンク・メジャーメント・リファレンス信号と、前記ダウンリンク干渉情報を利用することによりビームフォーミングされた第１アップリンク・メジャーメント・リファレンス信号とを含み；及び
前記プロセッサが、前記ダウンリンク干渉情報を取得するために、前記アップリンク・メジャーメント・リファレンス信号に対してダウンリンク干渉推定を実行することは：
アップリンク・チャネル・マトリクスＨを取得するために、前記初期の第１アップリンク・メジャーメント・リファレンス信号に対してチャネル推定を実行すること；
前記アップリンク・チャネル・マトリクスＨと前記ダウンリンク干渉情報Ｉとの積Ｈ＊Ｉを取得するために、前記ダウンリンク干渉情報を利用することによりビームフォーミングされた第１アップリンク・メジャーメント・リファレンス信号に対してチャネル推定を実行すること；及び
前記アップリンク・チャネル・マトリクスＨ及び前記積Ｈ＊Ｉに基づいて、前記ダウンリンク干渉情報を取得すること；
を含む、請求項１９に記載のネットワーク側デバイス。
【請求項２１】
前記トランシーバは：前記ユーザー装置により送信された前記アップリンク・メジャーメント・リファレンス信号を受信する前に、命令メッセージを前記ユーザー装置へ送信するように更に構成され、前記命令メッセージは、前記ダウンリンク干渉情報を前記ネットワーク側デバイスへ送信することを、前記ユーザー装置に命令するために使用される、請求項１９又は２０に記載のネットワーク側デバイス。
【請求項２２】
前記プロセッサが、前記ダウンリンク干渉情報を取得するために、前記アップリンク・メジャーメント・リファレンス信号に対してダウンリンク干渉推定を実行することは：
前記アップリンク・チャネル・マトリクスＨと前記ビームフォーミング・マトリクスＶとの積Ｈ＊Ｖを取得するために、前記ビームフォーミング・マトリクスＶを利用することによりビームフォーミングされた第２アップリンク・メジャーメント・リファレンス信号に対してチャネル推定を実行すること；
前記アップリンク・チャネル・マトリクスＨと、前記ビームフォーミング・マトリクスＶと、前記ダウンリンク干渉情報との積を取得するために、２回目にビームフォーミングされた第２アップリンク・メジャーメント・リファレンス信号に対してチャネル推定を実行すること；及び
Ｈ＊ＶとＨ＊Ｖ及び前記ダウンリンク干渉情報の積とに基づいて前記ダウンリンク干渉情報を取得すること；
を含む、請求項２０に記載のネットワーク側デバイス。
【請求項２３】
前記トランシーバにより送信される前記命令メッセージは、アップリンク・メジャーメント・リファレンス信号スケジューリング・シグナリングである、請求項２１に記載のネットワーク側デバイス。
【請求項２４】
プログラムを記録したコンピュータ読み取り可能な記憶媒体であって；前記プログラムは請求項１ないし１２のうち何れか１項に記載の方法をコンピュータに実行させる、コンピュータ読み取り可能な記憶媒体。
【発明の詳細な説明】
【背景技術】
【０００１】
本出願は、２０１６年１２月３０日に中国特許庁に提出された「アップリンク・メジャーメント・リファレンス信号を送信する方法、装置、及びシステム」と題する、全体的にリファレンスに組み込まれる中国特許出願第２０１６１１２６５９５０．２号に対する優先権を主張する。
技術分野
【０００２】
本発明は、無線通信技術の分野に関し、特に、アップリンク・メジャーメント・リファレンス信号を送信する方法、装置、及びシステムに関する。
背景技術
【０００３】
無線チャネル（Ｃｈａｎｎｅｌ）は、無線信号を伝送媒体として使用するデータ信号伝送チャネルである。無線通信の分野では、同一周波数帯域において、アップリンク（ユーザー装置から基地局への方向）チャネルとダウンリンク（基地局からユーザー装置への方向）チャネルとの間に相反性が存在する。具体的には、アップリンク・チャネル・マトリクスは、ダウンリンク・チャネル・マトリクスの共役転置である。
【０００４】
従来技術の通信システムにおいて、基地局は、通常、ユーザー装置から受信したアップリンク・メジャーメント・リファレンス信号を用いることによりアップリンク・チャネル・マトリクスを取得し、次いで、前述の相反性を利用することによる演算によりダウンリンク・チャネル・マトリクスを取得する。次いで、基地局は、ダウンリンク・チャネル・マトリクスに基づいてユーザー装置をスケジューリングし、ダウンリンク・データを送信する。
【０００５】
しかしながら、ダウンリンク・データを受信する場合に、ユーザー装置は、周辺信号からの干渉及びユーザー装置の熱雑音により影響を受ける。従来技術では、基地局によって取得されるダウンリンク・チャネル・マトリクスは、ユーザー装置側の干渉情報を反映することができない。従って、基地局によりダウンリンク・チャネル・マトリクスに基づいてユーザー装置をスケジューリングする効率は低い。
【発明の概要】
【０００６】
本発明は、基地局がダウンリンク・チャネルのダウンリンク干渉情報を取得することを援助する、アップリンク・メジャーメント・リファレンス信号を送信する方法、装置、及びシステムを説明する。
【０００７】
一態様によれば、本発明の一実施形態は、アップリンク・メジャーメント・リファレンス信号を送信する方法を提供し、方法は主にネットワーク側デバイスに適用され、以下のステップ：
先ず、ネットワーク側デバイスにより、ユーザー装置により送信されたアップリンク・メジャーメント・リファレンス信号を受信するステップであって、アップリンク・メジャーメント・リファレンス信号は、ネットワーク側デバイスのダウンリンク・チャネルのダウンリンク干渉情報を運ぶ、ステップ；次いで、ダウンリンク干渉情報を取得するために、アップリンク・メジャーメント・リファレンス信号に対してダウンリンク干渉推定を実行するステップを含む。
【０００８】
基地局が、ユーザー装置により使用されるダウンリンク・チャネルのダウンリンク干渉情報を取得することができない従来技術と比較して、この実施形態では、ネットワーク側デバイス（基地局であってもよい）は、ダウンリンク干渉情報に基づいてユーザー装置を効果的にスケジューリングすることができ、それによりスケジューリング効率を改善し、ダウンリンク・チャネルのデータ伝送効率を改善する。
【０００９】
可能な設計では、ネットワーク側デバイスによって受信されるアップリンク・メジャーメント・リファレンス信号は、初期の第１アップリンク・メジャーメント・リファレンス信号と、ダウンリンク干渉情報を利用することによりビームフォーミングされた第１アップリンク・メジャーメント・リファレンス信号とを含む。
【００１０】
ネットワーク側デバイスにより、ダウンリンク・チャネルの干渉情報を取得するために、アップリンク・メジャーメント・リファレンス信号に対してダウンリンク干渉推定を実行することは、具体的に：
先ず、アップリンク・チャネル・マトリクスＨを取得するために、初期の第１アップリンク・メジャーメント・リファレンス信号に対してチャネル推定を実行すること；アップリンク・チャネル・マトリクスＨとダウンリンク干渉情報Ｉとの積Ｈ＊Ｉを取得するために、ダウンリンク干渉情報を利用することによりビームフォーミングされた第１アップリンク・メジャーメント・リファレンス信号に対してチャネル推定を実行すること；次いで、アップリンク・チャネル・マトリクスＨと、アップリンク・チャネル・マトリクスＨ及びダウンリンク干渉情報Ｉの積Ｈ＊Ｉとに基づいてダウンリンク干渉情報Ｉを取得することを含むことができる。
【００１１】
可能な設計では、ネットワーク側デバイスによって受信されるアップリンク・メジャーメント・リファレンス信号は、ビームフォーミング・マトリクスＶを利用することによりビームフォーミングされた第２アップリンク・メジャーメント・リファレンス信号と、ダウンリンク干渉情報を利用することにより２回目用にビームフォーミングされた第２アップリンク・メジャーメント・リファレンス信号とを含む。この場合、ダウンリンク・チャネルの干渉情報を得るために、アップリンク・メジャーメント・リファレンス信号に対してダウンリンク干渉推定を、ネットワーク側デバイスにより実行することは、具体的には：
先ず、アップリンク・チャネル・マトリクスＨとビームフォーミング・マトリクスＶとの積Ｈ＊Ｖを取得するために、ビームフォーミング・マトリクスＶを利用することによりビームフォーミングされた第２アップリンク・メジャーメント・リファレンス信号に対してチャネル推定を実行すること；アップリンク・チャネル・マトリクスＨと、ビームフォーミング・マトリクスＶと、ダウンリンク干渉情報Ｉとの積Ｈ＊Ｖ＊Ｉを取得するために、２回目にビームフォーミングされた第２アップリンク・メジャーメント・リファレンス信号に対してチャネル推定を実行すること；次いで、Ｈ＊Ｖと、Ｈ＊Ｖ及びダウンリンク干渉情報Ｉの積Ｈ＊Ｖ＊Ｉとに基づいてダウンリンク干渉情報を取得することを含むことができる。
【００１２】
可能な設計では、ネットワーク側デバイスはユーザー装置にコードブック情報を更に送信し、コードブック情報はユーザー装置によって使用されるビームフォーミング・マトリクスＶを示すために使用される。
【００１３】
可能な設計では、ユーザー装置により送信されるアップリンク・メジャーメント・リファレンス信号を受信する前に、ネットワーク側デバイスは、命令メッセージをユーザー装置へ更に送信することができ、命令メッセージは、ユーザー装置とネットワーク側デバイスとの間の直接メッセージ伝送を調整するために、ダウンリンク干渉情報をネットワーク側デバイスへ送信することを、ユーザー装置に命令するために使用される。
【００１４】
可能な設計では、２つ以上のダウンリンク干渉情報を取得した後に、ネットワーク側デバイスは、ダウンリンク干渉情報のうちの１つを選択して、ダウンリンク・データをユーザー装置へ送信してもよい。ダウンリンク・データを送信する前に、ネットワーク側デバイスは、第１アップリンク・メジャーメント・リファレンス信号又は第２アップリンク・メジャーメント・リファレンス信号に対応するリソース・インデックスをユーザー装置へ送信してもよい。リソース・インデックスを送信することは、ネットワーク側デバイスによって送信されたダウンリンク・データを受信するために使用されるビームフォーミング・マトリクスＶを、ユーザー装置が決定することを援助することができる。
【００１５】
別の態様によれば、本発明の一実施形態は、アップリンク・メジャーメント・リファレンス信号を送信する方法を提供し、方法はユーザー装置に適用され、主に：
先ず、ユーザー装置により、ネットワーク側デバイスのダウンリンク・チャネルのダウンリンク干渉情報を取得し；次いで、アップリンク・メジャーメント・リファレンス信号をネットワーク側デバイスへ送信することを含み、アップリンク・メジャーメント・リファレンス信号はダウンリンク干渉情報を運び、そのため、ネットワーク側デバイスは、アップリンク・メジャーメント・リファレンス信号に基づいてダウンリンク・チャネルのダウンリンク干渉情報を取得することができ、それにより、ユーザー装置を効果的にスケジューリングする。
【００１６】
可能な設計において、ユーザー装置により、アップリンク・メジャーメント・リファレンス信号をネットワーク側デバイスへ送信することは：
先ず、ユーザー装置により、第１アップリンク・メジャーメント・リファレンス信号をネットワーク側デバイスへ送信し；ダウンリンク干渉情報を利用することにより第１アップリンク・メジャーメント・リファレンス信号をビームフォーミングし；次いで、ビームフォーミングされた第１アップリンク・メジャーメント・リファレンス信号をネットワーク側デバイスへ送信することを含む。
【００１７】
可能な設計では、ユーザー装置は、同じ時間ドメイン・リソース又は隣接する時間ドメイン・リソースを利用することにより、初期の第１アップリンク・メジャーメント・リファレンス信号と、ダウンリンク干渉情報を利用することによりビームフォーミングされた第１アップリンク・メジャーメント・リファレンス信号とを送信する。
【００１８】
可能な設計では、ユーザー装置は、同じ周波数ドメイン・リソース又は隣接する周波数ドメイン・リソースを利用することにより、初期の第１アップリンク・メジャーメント・リファレンス信号と、ダウンリンク干渉情報を利用することによりビームフォーミングされた第１アップリンク・メジャーメント・リファレンス信号とを送信する。
【００１９】
可能な設計では、ユーザー装置は、同一のサイクリック・シフト又は異なるサイクリック・シフトを利用することにより、初期の第１アップリンク・メジャーメント・リファレンス信号と、ダウンリンク干渉情報を利用することによりビームフォーミングされた第１アップリンク・メジャーメント・リファレンス信号とを送信する。
【００２０】
可能な設計では、ネットワーク側デバイスのダウンリンク・チャネルのダウンリンク干渉情報を、ユーザー装置により取得することは、具体的に：送信ダイバーシチ又は閉ループ空間多重の送信モードを利用することによる演算により、ネットワーク側デバイスのダウンリンク・チャネルのダウンリンク干渉情報を、ユーザー装置によって取得することを含む。オプションとして、ユーザー装置は、ネットワーク側デバイスのダウンリンク・チャネルのダウンリンク干渉情報を演算することができる。
【００２１】
可能な設計では、ユーザー装置は、アップリンク・シグナリングをネットワーク側デバイスへ送信することができ、アップリンク・シグナリングは、送信ダイバーシチ又は閉ループ空間多重の送信モードを運ぶ。
【００２２】
可能な設計において、ユーザー装置により、アップリンク・メジャーメント・リファレンス信号をネットワーク側デバイスへ送信することは：
先ず、ビームフォーミング・マトリクスＶを利用することによりビームフォーミングされた第２アップリンク・メジャーメント・リファレンス信号ビームを、ネットワーク側デバイスへ送信し；次いで、ビームフォーミング・マトリクスＶを利用することによりビームフォーミングされた第２アップリンク・メジャーメント・リファレンス信号を、ダウンリンク干渉情報を利用することにより、２回目用にビームフォーミングし；２回目にビームフォーミングされた第２アップリンク・メジャーメント・リファレンス信号をネットワーク側デバイスへ送信することを含む。
【００２３】
可能な設計では、ユーザー装置により、アップリンク・メジャーメント・リファレンス信号をネットワーク側デバイスへ送信することは：
先ず、ビームフォーミング・マトリクスＶを利用することにより第３アップリンク・メジャーメント・リファレンス信号をビームフォーミングし；次いで、ビームフォーミング・マトリクスＶを利用することによりビームフォーミングされた第３アップリンク・メジャーメント・リファレンス信号を、ダウンリンク干渉情報を利用することにより２回目用にビームフォーミングし；２回目にビームフォーミングされた第３アップリンク・メジャーメント・リファレンス信号をネットワーク側デバイスへ送信することを含む。
【００２４】
可能な設計では、ユーザー装置は、ネットワーク側デバイスにより送信されたリソース・インデックス又はコードブック情報を受信し、リソース・インデックス又はコードブック情報に基づいて、アップリンク・メジャーメント・リファレンス信号を送信するために使用されるビームフォーミング・マトリクスＶを決定することができる。
【００２５】
第３の態様によれば、本発明の一実施形態はユーザー装置を提供し、ユーザー装置は主にトランシーバ及びプロセッサを含む。プロセッサは、ネットワーク側デバイスのダウンリンク・チャネルのダウンリンク干渉情報を取得するように構成され；トランシーバは、アップリンク・メジャーメント・リファレンス信号をネットワーク側デバイスへ送信するように構成され、アップリンク・メジャーメント・リファレンス信号は、ダウンリンク干渉情報を運ぶ。
【００２６】
可能な設計では、ユーザー装置のトランシーバが、アップリンク・メジャーメント・リファレンス信号をネットワーク側デバイスへ送信することは：
初期の第１アップリンク・メジャーメント・リファレンス信号をネットワーク側デバイスへ送信し；次いで、ダウンリンク干渉情報を利用することにより、初期の第１アップリンク・メジャーメント・リファレンス信号をビームフォーミングし；及びダウンリンク干渉情報を利用することによりビームフォーミングされた第１アップリンク・メジャーメント・リファレンス信号を、ネットワーク側デバイスへ送信することを含む。
【００２７】
可能な設計では、ユーザー装置のトランシーバが、アップリンク・メジャーメント・リファレンス信号をネットワーク側デバイスへ送信することは：
ビームフォーミング・マトリクスＶを利用することによりビームフォーミングされた第２アップリンク・メジャーメント・リファレンス信号を、ネットワーク側デバイスへ送信し；次いで、ビームフォーミング・マトリクスＶを利用することによりビームフォーミングされた第２アップリンク・メジャーメント・リファレンス信号を、ダウンリンク干渉情報を利用することにより２回目用にビームフォーミングし；及び２回目にビームフォーミングされた第２アップリンク・メジャーメント・リファレンス信号を、ネットワーク側デバイスへ送信することを含む。
【００２８】
可能な設計では、ユーザー装置のトランシーバは：ビームフォーミング・マトリクスＶを利用することによりビームフォーミングされた第２アップリンク・メジャーメント・リファレンス信号を、ネットワーク側デバイスへ送信する前に、ネットワーク側デバイスにより送信されたコードブック情報を受信するように更に構成され、プロセッサは、コードブック情報に基づいてビームフォーミング・マトリクスＶを取得するように更に構成される。
【００２９】
可能な設計では、ユーザー装置のトランシーバは：プロセッサがネットワーク側デバイスのダウンリンク・チャネルのダウンリンク干渉情報を取得する前に、ネットワーク側デバイスにより送信された命令メッセージを受信するように更に構成され、命令メッセージは、ダウンリンク干渉情報をネットワーク側デバイスへ送信することを、ユーザー装置に命令するために使用される。
【００３０】
可能な設計では、ユーザー装置のトランシーバは、同じ時間ドメイン・リソース又は隣接する時間ドメイン・リソースを利用することにより、初期の第１アップリンク・メジャーメント・リファレンス信号と、ダウンリンク干渉情報を利用することによりビームフォーミングされた第１アップリンク・メジャーメント・リファレンス信号とを送信する；又は
ユーザー装置のトランシーバは、同じ周波数ドメイン・リソース又は隣接する周波数ドメイン・リソースを利用することにより、初期の第１アップリンク・メジャーメント・リファレンス信号と、ダウンリンク干渉情報を利用することによりビームフォーミングされた第１アップリンク・メジャーメント・リファレンス信号とを送信する；又は
ユーザー装置のトランシーバは、同じサイクリック・シフト又は異なるサイクリック・シフトを利用することにより、初期の第１アップリンク・メジャーメント・リファレンス信号と、ダウンリンク干渉情報を利用することによりビームフォーミングされた第１アップリンク・メジャーメント・リファレンス信号とを送信する。
【００３１】
時間ドメイン・リソース、周波数ドメイン・リソース、及びサイクリック・シフトは組み合わせて使用されてもよい。例えば、ユーザー装置のトランシーバは、同じ時間ドメイン・リソース及び異なるサイクリック・シフトを利用することにより、初期の第１アップリンク・メジャーメント・リファレンス信号と、ダウンリンク干渉情報を利用することによりビームフォーミングされた第１アップリンク・メジャーメント・リファレンス信号とを送信する。
【００３２】
オプションとして、ユーザー装置は、代替的に時間ドメイン・リソース、周波数ドメイン・リソース、及びサイクリック・シフトを利用することにより、ビームフォーミング・マトリクスＶを利用することによりビームフォーミングされた第２アップリンク・メジャーメント・リファレンス信号と、２回目にビームフォーミングされた第２アップリンク・メジャーメント・リファレンス信号ビームとを送信することができる。
【００３３】
第４の態様によれば、本発明の一実施形態はネットワーク側デバイスを提供し、ネットワーク側デバイスは主にトランシーバ及びプロセッサを含む。
【００３４】
トランシーバは、ユーザー装置により送信されたアップリンク・メジャーメント・リファレンス信号を受信するように構成され、アップリンク・メジャーメント・リファレンス信号は、ネットワーク側デバイスのダウンリンク・チャネルのダウンリンク干渉情報を運ぶ。
【００３５】
プロセッサは、ダウンリンク干渉情報を取得するために、アップリンク・メジャーメント・リファレンス信号に対してダウンリンク干渉推定を実行するように構成される。
【００３６】
可能な設計では、ネットワーク側デバイスのトランシーバにより受信されるアップリンク・メジャーメント・リファレンス信号は、初期の第１アップリンク・メジャーメント・リファレンス信号と、ダウンリンク干渉情報を利用することによりビームフォーミングされた第１アップリンク・メジャーメント・リファレンス信号とを含む。
【００３７】
ネットワーク側デバイスのプロセッサが、ダウンリンク・チャネルの干渉情報を取得するために、アップリンク・メジャーメント・リファレンス信号に対してダウンリンク干渉推定を実行することは：アップリンク・チャネル・マトリクスＨを取得するために、初期の第１アップリンク・メジャーメント・リファレンス信号に対してチャネル推定を実行すること；次いで、アップリンク・チャネル・マトリクスＨとダウンリンク干渉情報Ｉとの積Ｈ＊Ｉを取得するために、ダウンリンク干渉情報を利用することによりビームフォーミングされた第１アップリンク・メジャーメント・リファレンス信号に対してチャネル推定を実行すること；及びアップリンク・チャネル・マトリクスＨ及び積Ｈ＊Ｉに基づいて、ダウンリンク干渉情報を取得することを含む。
【００３８】
可能な設計において、ネットワーク側デバイスのトランシーバは、ユーザー装置により送信されたアップリンク・メジャーメント・リファレンス信号を受信する前に、命令メッセージをユーザー装置へ送信するように更に構成され、命令メッセージは、ダウンリンク干渉情報をネットワーク側デバイスへ送信することを、ユーザー装置に命令するために使用される。
【００３９】
可能な設計において、ネットワーク側デバイスのトランシーバにより受信されるアップリンク・メジャーメント・リファレンス信号は、ビームフォーミング・マトリクスＶを利用することによりビームフォーミングされた第２アップリンク・メジャーメント・リファレンス信号と、ビームフォーミング・マトリクスＶを利用することによりビームフォーミングされた第２アップリンク・メジャーメント・リファレンス信号を、ダウンリンク干渉情報を利用することにより、２回目にビームフォーミングすることにより取得された第２アップリンク・メジャーメント・リファレンス信号とを含み；ネットワーク側デバイスのプロセッサが、ダウンリンク・チャネルの干渉情報を取得するために、アップリンク・メジャーメント・リファレンス信号に対してダウンリンク干渉推定を実行することは、具体的に：
アップリンク・チャネル・マトリクスＨとビームフォーミング・マトリクスＶとの積Ｈ＊Ｖを取得するために、ビームフォーミング・マトリクスＶを利用することによりビームフォーミングされた第２アップリンク・メジャーメント・リファレンス信号に対してチャネル推定を実行すること；次いで、アップリンク・チャネル・マトリクスＨと、ビームフォーミング・マトリクスＶと、ダウンリンク干渉情報との積を取得するために、２回目にビームフォーミングされた第２アップリンク・メジャーメント・リファレンス信号に対してチャネル推定を実行すること；及びＨ＊ＶとＨ＊Ｖ及びダウンリンク干渉情報の積とに基づいてダウンリンク干渉情報を取得することを含む。
【００４０】
第５の態様によれば、本発明の一実施形態は、アップリンク・メジャーメント・リファレンス信号を送信するシステムを提供し、システムは第３の態様によるユーザー装置と第４の態様によるネットワーク側デバイスとを含む。
【００４１】
前述の全ての態様で説明される実施形態において、ネットワーク側デバイスによって送信される命令メッセージは、初期の第１アップリンク・メジャーメント・リファレンス信号と、ダウンリンク干渉情報を利用することによりビームフォーミングされた第１アップリンク・メジャーメント・リファレンス信号とを、ネットワーク側デバイスへ同時に又は一緒に送信することを、ユーザー装置に命令するために使用されてもよい。
【００４２】
ネットワーク側デバイスによって送信される命令メッセージは、ビームフォーミング・マトリクスＶを利用してビームフォーミングされた第２アップリンク・メジャーメント・リファレンス信号と、ダウンリンク干渉情報を利用することにより２回目にビームフォーミングされた第２アップリンク・メジャーメント・リファレンス信号とを、同時に又は一緒にネットワーク側デバイスへ送信することを、ユーザー装置に命令するために使用されてもよい。命令メッセージは、アップリンク・メジャーメント・リファレンス信号スケジューリング・シグナリングであってもよい。
【図面の簡単な説明】
【００４３】
本発明の実施形態をより明確に説明するために、以下、実施形態を説明するために必要な添付図面を簡単に説明する。明らかに、以下の説明における添付図面は、本発明の幾つかの実施形態を単に示しているに過ぎず、当業者は、創作的労力なしに、これらの添付図面から他の図面を更に導出することができる。
【００４４】
【図１】図１は本発明の一実施形態による通信システムの概略図である。
【００４５】
【図２】図２は本発明の一実施形態によるアップリンク・メジャーメント・リファレンス信号を送信する方法のフローチャートである。
【００４６】
【図３】図３は本発明の実施形態によるアップリンク・メジャーメント・リファレンス信号をＵＥにより送信することについてのリソース構成図である。
【００４７】
【図４】図４は本発明の実施形態によるアップリンク・メジャーメント・リファレンス信号をＵＥにより送信することについての別のリソース構成図である。
【００４８】
【図５】図５は本発明の実施形態によるアップリンク・メジャーメント・リファレンス信号をＵＥにより送信することについての別のリソース構成図である。
【００４９】
【図６】図６は本発明の一実施形態によるネットワーク側デバイスの概略構造図である。
【００５０】
【図７】図７は本発明の一実施形態によるユーザー装置の概略構造図である。
【発明を実施するための形態】
【００５１】
以下、本発明の実施形態における添付図面を参照して、本発明の実施形態における技術的ソリューションを説明する。
【００５２】
基地局がダウンリンク干渉情報を得ることができず、それ故にユーザー装置をスケジューリングする効率が低いという従来技術の問題を解決するために、本発明の実施形態は、図１に示される通信システムに基づくソリューションを提供し、通信システムにおいてユーザー装置をスケジューリングする効率を改善する。図１に示されるように、本発明の一実施形態は、通信システム１００を提供する。通信システム１００は、少なくとも１つの基地局（ｂａｓｅ  ｓｔａｔｉｏｎ，ＢＳ）及びユーザー装置（ｕｓｅｒ  ｅｑｕｉｐｍｅｎｔ，ＵＥ）を含む。図は、複数の基地局ＢＳ１ないしＢＳ３及び複数のユーザー装置ＵＥ１ないしＵＥ６を示す。ユーザー装置及び基地局は、セルラー通信を実行することができ、ＵＥ１及びＵＥ２はＢＳ３のカバレッジ内に位置し、ＵＥ３及びＵＥ４はＢＳ１のカバレッジ内に位置し、ＵＥ５及びＵＥ６はＢＳ２のカバレッジ内に位置する。
【００５３】
本発明のこの実施形態では、前述の通信システム１００は、符号分割多元接続（ｃｏｄｅ  ｄｉｖｉｓｉｏｎ  ｍｕｌｔｉｐｌｅ  ａｃｃｅｓｓ，ＣＤＭＡ）、時分割多元接続（ｔｉｍｅ  ｄｉｖｉｓｉｏｎ  ｍｕｌｔｉｐｌｅ  ａｃｃｅｓｓ，ＴＤＭＡ）、周波数分割多元接続（ｆｒｅｑｕｅｎｃｙ  ｄｉｖｉｓｉｏｎ  ｍｕｌｔｉｐｌｅ  ａｃｃｅｓｓ，ＦＤＭＡ）、直交周波数分割多元接続（ｏｒｔｈｏｇｏｎａｌ  ｆｒｅｑｕｅｎｃｙ−ｄｉｖｉｓｉｏｎ  ｍｕｌｔｉｐｌｅ  ａｃｃｅｓｓ，ＯＦＤＭＡ）、及びシングル・キャリア周波数分割多元接続（ｓｉｎｇｌｅ  ｃａｒｒｉｅｒ  ＦＤＭＡ，ＳＣ−ＦＤＭＡ）、他のシステム等の種々の無線アクセス技術（ｒａｄｉｏ  ａｃｃｅｓｓ  ｔｅｃｈｎｏｌｏｇｙ，ＲＡＴ）のシステムであってもよい。用語「システム」及び「ネットワーク」は互いに交換可能である。ＣＤＭＡシステムは、ユニバーサル地上無線アクセス（ｕｎｉｖｅｒｓａｌ  ｔｅｒｒｅｓｔｒｉａｌ  ｒａｄｉｏ  ａｃｃｅｓｓ，ＵＴＲＡ）及びＣＤＭＡ２０００等の無線技術を実現することができる。ＵＴＲＡは、ワイドバンドＣＤＭＡ（ｗｉｄｅｂａｎｄ  ＣＤＭＡ，ＷＣＤＭＡ）技術又はＣＤＭＡの他の変形技術を含み得る。ＣＤＭＡ２０００は、暫定規格（ｉｎｔｅｒｉｍ  ｓｔａｎｄａｒｄ，ＩＳ）２０００（ＩＳ−２０００）、ＩＳ−９５及びＩＳ−８５６規格をカバーすることができる。ＴＤＭＡシステムは、移動通信用グローバル・システム（ｇｌｏｂａｌ  ｓｙｓｔｅｍ  ｆｏｒ  ｍｏｂｉｌｅ  ｃｏｍｍｕｎｉｃａｔｉｏｎｓ，ＧＳＭ）等の無線技術を実現することができる。ＯＦＤＭＡシステムは、エボルブド・ユニバーサル地上無線アクセス（ｅｖｏｌｖｅｄ  ＵＴＲＡ，Ｅ−ＵＴＲＡ）、ウルトラ・モバイル・ブロードバンド（Ｕｌｔｒａ  Ｍｏｂｉｌｅ  Ｂｒｏａｄｂａｎｄ，ＵＭＢ）、ＩＥＥＥ  ８０２．１１（Ｗｉ−Ｆｉ）、ＩＥＥＥ  ８０２．１６（ＷｉＭＡＸ）、ＩＥＥＥ  ８０２．２０、及びＦｌａｓｈ  ＯＦＤＭＡ等の無線技術を実現することができる。ＵＴＲＡ及びＥ−ＵＴＲＡはＵＭＴＳであり、ＵＭＴＳの進化したリリースである。３ＧＰＰは、ロング・ターム・エボリューション（ｌｏｎｇ  ｔｅｒｍ  ｅｖｏｌｕｔｉｏｎ，ＬＴＥ）におけるＥ−ＵＴＲＡを利用するＵＭＴＳの新規リリース、及びＬＴＥに基づく種々の進化したリリースである。更に、通信システム１００は、未来志向の通信技術にも適用可能である。本発明のこの実施形態において説明されるシステム・アーキテクチャ及びサービス・シナリオは、本発明のこの実施形態における技術的ソリューションをより明確に説明するために使用されるが、本発明のこの実施形態において提供される技術的ソリューションを制限するようには意図されていない。当業者は、ネットワーク・アーキテクチャが進化し、新しいサービス・シナリオが出現する場合に、本発明のこの実施形態で提供される技術的ソリューションは同様の技術的課題にも適用可能であることを知り得る。
【００５４】
本発明のこの実施形態では、基地局（例えば、ＢＳ１ないしＢＳ３）は、無線アクセス・ネットワークに配備され、ＵＥに対して無線通信機能を提供するように構成された装置である。基地局は、マクロ基地局、マイクロ基地局（小セル、英語：フェムト、ピコ、又は小セルとも呼ばれる）、中継局、アクセス・ポイント等の様々な形態を含み得る。基地局の機能を有するデバイスは、異なる無線アクセス技術を使用するシステムにおいて、異なる名前を有するかもしれない。例えば、デバイスは、５ＧシステムにおけるｇＮｏｄｅＢ又は送信ポイント（ｔｒａｎｓｍｉｓｓｉｏｎ  ｐｏｉｎｔ，ＴＲＰ）と呼ばれてもよく、ＬＴＥシステムにおいてはエボルブドＮｏｄｅＢ（ｅｖｏｌｖｅｄ  ＮｏｄｅＢ，ｅＮＢ，又はｅＮｏｄｅＢ）と呼ばれ、第３世代（３ｒｄ  ｇｅｎｅｒａｔｉｏｎ，３Ｇ）システムにおいてはＮｏｄｅＢ（ＮｏｄｅＢ）と呼ばれる。説明の簡易化のために、本発明の全ての実施形態において、前述の基地局及びノードＢ、並びにＵＥに無線通信機能を提供する他の装置は、まとめてネットワーク側デバイスと呼ばれる。
【００５５】
本発明のこの実施形態におけるＵＥは、無線通信機能を有する種々のハンドヘルド・デバイス、車載デバイス、ウェアラブル・デバイス、又は無線通信機能を有するコンピューティング・デバイス、又は無線モデムに接続された他の処理デバイスを含むことができる。ＵＥは、代替的に、移動局（ｍｏｂｉｌｅ  ｓｔａｔｉｏｎ，ＭＳ）、ユーザー端末装置、又はユーザー装置デバイス（端末装置）等と言及されてもよく、そして加入者ユニット（ｓｕｂｓｃｒｉｂｅｒ  ｕｎｉｔ）、セルラー電話（ｃｅｌｌｕｌａｒ  ｐｈｏｎｅ）、スマートフォン（ｓｍａｒｔｐｈｏｎｅ）、無線データ・カード、パーソナル・ディジタル・アシスタント（ｐｅｒｓｏｎａｌ  ｄｉｇｉｔａｌ  ａｓｓｉｓｔａｎｔ，  ＰＤＡ）コンピュータ、タブレット・コンピュータ、無線モデム（ｍｏｄｅｍ）、ハンドヘルド・デバイス（ｈａｎｄｈｅｌｄ）、ラップトップ・コンピュータ（ｌａｐｔｏｐ  ｃｏｍｐｕｔｅｒ）、コードレス電話（ｃｏｒｄｌｅｓｓ  ｐｈｏｎｅ）又は無線ローカル・ループ（ｗｉｒｅｌｅｓｓ  ｌｏｃａｌ  ｌｏｏｐ，  ＷＬＬ）ステーション、マシン・タイプ通信（ｍａｃｈｉｎｅ  ｔｙｐｅ  ｃｏｍｍｕｎｉｃａｔｉｏｎ，  ＭＴＣ）ユーザー装置などを更に含むことができる。本発明の全ての実施形態において、上記のデバイスはまとめてＵＥとして言及される。
【００５６】
更に、図１に示される通信システム１００では、基地局ＢＳ１ないしＢＳ３及び複数のＵＥが示され、通信システム１００は基地局及びＵＥを含むがそれらを含むことに限定されず、コアネットワーク・デバイス、仮想化ネットワーク機能を運搬するデバイス等を更に含むことができる。これらは当業者にとって自明であり、ここで一つ一つ詳細には説明されない。
【００５７】
この実施形態のソリューションでは、ＵＥ１がＢＳ３からダウンリンク・データを受信する場合、他の基地局（例えば、ＢＳ１及びＢＳ２）により送信される無線信号は、ＵＥ１のダウンリンク・データ受信に干渉をもたらす。本発明のこの実施形態では、ダウンリンク・チャネルのダウンリンク干渉情報を取得した後、ＵＥ１は、アップリンク・メジャーメント・リファレンス信号をネットワーク側デバイス（例えば、ＢＳ３）へ直接的に送信し、アップリンク・メジャーメント・リファレンス信号は、ダウンリンク干渉情報を運ぶ。更に、ネットワーク側デバイス（例えば、ＢＳ３）は、ダウンリンク干渉情報を運ぶＵＥにより送信されたアップリンク・メジャーメント・リファレンス信号を受信した後、アップリンク・メジャーメント・リファレンス信号に対してダウンリンク干渉推定を実行し、ダウンリンク干渉情報を取得する。基地局ＢＳ３がＵＥ１によって使用されるダウンリンク・チャネルのダウンリンク干渉情報を得ることができない従来技術と比較して、この実施形態では、ＢＳ３は、ダウンリンク干渉情報に基づいてＵＥ１を効果的にスケジューリングすることができ、それによってスケジューリング効率及びデータ伝送効率を改善する。
【００５８】
図２は、本発明の一実施形態によるアップリンク・メジャーメント・リファレンス信号を送信する方法のフローチャートである。
【００５９】
本発明のこの実施形態では、基地局（例えば、ＢＳ３）は、ユーザー装置（例えば、ＵＥ１）にセルラー・ネットワークを提供する。ＵＥ１は、現在、接続モード（ｃｏｎｎｅｃｔｅｄ  ｍｏｄｅ）にある。
【００６０】
図２に示されるように、ＵＥ１は、基地局ＢＳ３から命令メッセージを受信した後（ステップ１０２）、ダウンリンク干渉情報をＢＳ３へ送信するステップを実行することを開始し得る。代替的に、ＵＥ１は、接続モードでダウンリンク干渉情報をＢＳ３へ能動的に送信してもよい。更に、ＵＥ１は、ＢＳ３がダウンリンク干渉情報を受信することを援助するために、ダウンリンク干渉情報をＢＳ３へ周期的に送信してもよい。
【００６１】
ダウンリンク干渉情報をＢＳ３へ送信する前に、ＵＥ１は、先ず、ＢＳ３のダウンリンク・チャネルのダウンリンク干渉情報を取得し（ステップ１０４）、次いで、ダウンリンク干渉情報を運ぶアップリンク・メジャーメント・リファレンス信号をＢＳ３へ送信する。ＵＥ１は、送信ダイバーシチ又は閉ループ空間多重化などの特定の送信モードに基づく演算によりダウンリンク干渉情報を取得することができる。ダウンリンク干渉情報は、特定の送信モードに対応し得る。ＵＥ１は、特定の送信モードに基づいてダウンリンク干渉情報を取得した後、送信モードを基地局ＢＳ３に通知してもよい。ＵＥ１は、新たに追加されたアップリンク・シグナリングを利用することにより、又は上記のアップリンク・メジャーメント・リファレンス信号を利用することにより、決定された送信モードをＢＳ３へ送信し、そのため基地局ＢＳ３はＵＥ１により決定された送信モードを利用することによりダウンリンク・データを送信することができ、データ伝送効率をより高くする。更に、ＵＥ１は、代替的に、特定のモードに基づかない演算によりダウンリンク干渉情報を取得し、ダウンリンク干渉情報を基地局ＢＳ３へ送信してもよく、基地局ＢＳ３は未処理のダウンリンク干渉情報を取得してもよい。
【００６２】
ステップ１０２と１０４との間で明確なタイミング関係はないことに注意すべきである。ＵＥ１は、ＢＳ３から命令メッセージを受信する前に、ダウンリンク・チャネルのダウンリンク干渉情報を取得してもよいし、又はＢＳ３からの命令メッセージを受信した後に、ダウンリンク・チャネルのダウンリンク干渉情報を取得してもよい。
【００６３】
ステップ１０４において、ＵＥ１は、以下の方法でアップリンク・メジャーメント・リファレンス信号をＢＳ３へ送信することができる。
【００６４】
方法１ａ：ＵＥ１は、初期の第１アップリンク・メジャーメント・リファレンス信号をＢＳ３へ送信し、ステップ１０２で取得されたダウンリンク干渉情報を利用することにより、初期の第１アップリンク・メジャーメント・リファレンス信号をビームフォーミングし、次いで、ビームフォーミングした第１アップリンク・メジャーメント・リファレンス信号をＢＳ３へ送信する。
【００６５】
アップリンク・メジャーメント・リファレンス信号はまた、アップリンク・サウンディング・リファレンス信号（ｓｏｕｎｄｉｎｇ  ｒｅｆｅｒｅｎｃｅ  ｓｉｇｎａｌ，ＳＲＳ）と呼ばれ、Ｚａｄ−ｏｆｆ  Ｃｈｕシーケンス等の標準シーケンスであってもよい。更に、初期の第１アップリンク・メジャーメント・リファレンス信号は、ダウンリンク干渉によりビームフォーミングされていない第１アップリンク・メジャーメント・リファレンス信号とも呼ばれてもよい。上記の「第１」は、以後の「第２」と区別するために使用される。ビームフォーミングの方法は、ビームフォーミング又は変調であってもよい。
【００６６】
方法２ａ：ＵＥ１は、ビームフォーミング・マトリクスＶを利用することによりビームフォーミングされた第２アップリンク・メジャーメント・リファレンス信号ビームをＢＳ３へ送信し、次いで、ビームフォーミング・マトリクスＶを利用することによりビームフォーミングされた第２アップリンク・メジャーメント・リファレンス信号ビームを、ダウンリンク干渉情報を利用することにより、２回目用にビームフォーミングし、２回目にビームフォーミングされた第２アップリンク・メジャーメント・リファレンス信号をＢＳ３へ送信する。
【００６７】
ビームフォーミング・マトリクスＶは、ＢＳ３によって送信されるコードブック情報（コードブックと呼ばれてもよい）からのものであってもよく、ＵＥ１は、コードブック情報に基づいてビームフォーミング・マトリクスＶを取得する。更に、ＵＥ１は、代替的に、基地局ＢＳ３のダウンリンク・チャネルに対してチャネル推定を実行し、ダウンリンク・チャネル・マトリクスを取得し、次いで、ダウンリンク・チャネル・マトリクスを利用することによる演算によりビームフォーミング・マトリクスＶを取得することができる。例えば、特異値分解（ｓｉｎｇｕｌａｒ  ｖａｌｕｅ  ｄｅｃｏｍｐｏｓｉｔｉｏｎ，ＳＶＤ）が、ダウンリンク・チャネル・マトリクスに対して実行される。
【００６８】
ビームフォーミング・マトリクスＶを利用することによってビームフォーミングされた第２アップリンク・メジャーメント・リファレンス信号はまた、ダウンリンク干渉なしにビームフォーミングされた第２アップリンク・メジャーメント・リファレンス信号と言及されてもよく、２回目にビームフォーミングされた第２アップリンク・メジャーメント・リファレンス信号はまた、ダウンリンク干渉情報を利用することによりビームフォーミングされた第２アップリンク・メジャーメント・リファレンス信号と言及されてもよい。上記の方法１ａと比較して、方法２ａによって提供される第２アップリンク・メジャーメント・リファレンス信号に関する方法は、ＵＥ１によって送信されるアップリンク・メジャーメント・リファレンス信号のカバレッジを改善し、ＢＳ３によって受信されるアップリンク・メジャーメント・リファレンス信号の信号−対−干渉比を増加させることができ、又は同じ信号−対−干渉比の場合に、ＵＥ１がアップリンク・メジャーメント・リファレンス信号を送信する電力を低減し、ＵＥ１の電力消費を低減することができる。
【００６９】
方法１ａ及び方法２ａにより提供される実施態様において、ＵＥ１がダウンリンク干渉情報を利用することにより第１アップリンク・メジャーメント・リファレンス信号及び第２アップリンク・メジャーメント・リファレンス信号をビームフォーミングした後、第１アップリンク・メジャーメント・リファレンス信号及び第２アップリンク・メジャーメント・リファレンス信号は、ダウンリンク干渉情報を運ぶことができる。ＵＥ１は、ビームフォーミング・マトリクスＶを利用することによりビームフォーミングされた第２アップリンク・メジャーメント・リファレンス信号と、２回目にビームフォーミングされた第２アップリンク・メジャーメント・リファレンス信号とを、サブフレーム等の特定のリソースにより送信することができる。ＵＥ１は、ダウンリンク干渉によりビームフォーミングされていない第１アップリンク・メジャーメント・リファレンス信号と、ダウンリンク干渉情報を利用することによりビームフォーミングされた第１アップリンク・メジャーメント・リファレンス信号とを、複合信号により送信してもよいし、又は、ダウンリンク干渉によりビームフォーミングされていない第１アップリンク・メジャーメント・リファレンス信号と、ダウンリンク干渉情報を利用することによりビームフォーミングされた第１アップリンク・メジャーメント・リファレンス信号とを別々に送信してもよい。相応に、ＵＥ１はまた、ダウンリンク干渉によらずにビームフォーミングされた第２アップリンク・メジャーメント・リファレンス信号と、ダウンリンク干渉情報を利用することによりビームフォーミングされた第２アップリンク・メジャーメント・リファレンス信号とを、複合信号により送信してもよいし、又はダウンリンク干渉によらずビームフォーミングされた第２アップリンク・メジャーメント・リファレンス信号と、ダウンリンク干渉情報を利用することによりビームフォーミングされた第２アップリンク・メジャーメント・リファレンス信号とを別々に送信することもできる。
【００７０】
図２を更に参照すると、基地局ＢＳ３がＵＥ１のダウンリンク干渉情報を取得する必要がある場合（例えば、ＢＳ３がダウンリンク・データをＵＥ１へ送信する必要がある場合）、基地局ＢＳ３は、ダウンリンク干渉情報をＢＳ３へ送信することをＵＥ１に命令するために、命令メッセージをＵＥ１へ送信する（ステップ１０２）。ＢＳ３によって送信される命令メッセージは、具体的には、アップリンク・メジャーメント・リファレンス信号スケジューリング・シグナリングであってもよい。代替的に、命令メッセージは、物理レイヤ・シグナリング、無線リソース制御レイヤ・シグナリング、又は媒体アクセス制御の制御要素（ｍｅｄｉｕｍ  ａｃｃｅｓｓ  ｃｏｎｔｒｏｌ  ｃｏｎｔｒｏｌ  ｅｌｅｍｅｎｔ，ＭＡＣＣＥ）レイヤ・シグナリングにより送信されてもよい。
【００７１】
オプションの実施形態において、ＢＳ３は、ダウンリンク干渉情報に対応する、送信ダイバーシチ又は閉ループ空間多重化のような送信モードを代替的に決定し、次いで、決定された送信モードをＵＥ１に通知することができる。ＢＳ３は、決定された送信モードを命令メッセージに追加して命令メッセージをＵＥ１へ送信してもよいし、又はダウンリンク・シグナリングを追加してダウンリンク・シグナリングをＵＥ１へ送信してもよく、又はＵＥ１の送信モードを事前に設定してもよく、ＵＥ１は、ＢＳ３によって決定された送信モードに基づいて、送信モードに対応するダウンリンク干渉情報を取得する。
【００７２】
命令メッセージを送信した後、ＢＳ３は、ダウンリンク干渉情報を運ぶ、ＵＥ１により送信されたアップリンク・メジャーメント・リファレンス信号を受信する（ステップ１０６）。ＢＳ３は、受信したアップリンク・メジャーメント・リファレンス信号に対してダウンリンク干渉推定を実行し、ダウンリンク干渉情報を取得する（ステップ１０８）。更に、ＢＳ３は、ダウンリンク干渉情報に基づいてＵＥ１をスケジューリングし、次いで、ダウンリンク・データをＵＥ１へ送信してもよい。
【００７３】
ステップ１０８において、ＢＳ３は、ダウンリンク干渉情報を以下の方法で取得することができる。
【００７４】
方法１ｂ：ＢＳ３は、アップリンク・チャネル・マトリクスＨを取得するために、ダウンリンク干渉情報を利用することによりビームフォーミングされていない第１アップリンク・メジャーメント・リファレンス信号に対してチャネル推定を実行し；アップリンク・チャネル・マトリクスＨとダウンリンク干渉情報Ｉとの積Ｈ＊Ｉを取得するために、ダウンリンク干渉情報を利用することによりビームフォーミングされた第１アップリンク・メジャーメント・リファレンス信号に対してチャネル推定を実行し；次いで、アップリンク・チャネル・マトリクスＨと積Ｈ＊Ｉとに基づいてダウンリンク干渉情報を取得する。
【００７５】
方法１ａに対応して、ＵＥ１は、ダウンリンク干渉情報を利用することによりビームフォーミングされていない第１アップリンク・メジャーメント・リファレンス信号と、ダウンリンク干渉情報を利用することによりビームフォーミングされた第１アップリンク・メジャーメント・リファレンス信号とを送信するので、ＢＳ３は、アップリンク・チャネル・マトリクスＨを取得するために、ダウンリンク干渉情報を利用することによりビームフォーミングされていない第１アップリンク・メジャーメント・リファレンス信号に対してチャネル推定を実行する。更に、ＢＳ３は、アップリンク・チャネル・マトリクスＨとダウンリンク干渉情報Ｉとの積Ｈ＊Ｉを取得するために、ダウンリンク干渉情報を利用することによりビームフォーミングされた第１アップリンク・メジャーメント・リファレンス信号に対してチャネル推定を実行する。更に、ＢＳ３は、Ｈ＊Ｉの積とアップリンク・チャネル・マトリクスＨとに基づいて、ダウンリンク干渉情報を取得することができる。
【００７６】
方法２ｂ：ＢＳ３は、アップリンク・チャネル・マトリクスＨとビームフォーミング・マトリクスＶとの積Ｈ＊Ｖを取得するために、ビームフォーミング・マトリクスＶを利用することによりビームフォーミングされた第２アップリンク・メジャーメント・リファレンス信号に対してチャネル推定を実行し；アップリンク・チャネル・マトリクスＨと、ビームフォーミング・マトリクスＶと、ダウンリンク干渉情報との積を取得するために、２回目にビームフォーミングされた第２アップリンク・メジャーメント・リファレンス信号に対してチャネル推定を実行し；次いで、Ｈ＊ＶとＨ＊Ｖ及びダウンリンク干渉情報の積とに基づいてダウンリンク干渉情報を取得する。
【００７７】
方法２ａに対応して、ＵＥ１は、ビームフォーミング・マトリクスＶを利用することによりビームフォーミングされた第２アップリンク・メジャーメント・リファレンス信号と、ビームフォーミング・マトリクスＶを利用することにより取得された第２アップリンク・メジャーメント・リファレンス信号を、ダウンリンク干渉情報を利用することにより、２回目用にビームフォーミングすることにより取得された第２アップリンク・メジャーメント・リファレンス信号とを送信するので、ＢＳ３は、アップリンク・チャネル・マトリクスＨとビームフォーミング・マトリクスＶとの積Ｈ＊Ｖを取得するために、ダウンリンク干渉情報を利用することなくビームフォーミングされた受信した第２アップリンク・メジャーメント・リファレンス信号に対してチャネル推定を実行する。更に、ＢＳ３は、アップリンク・チャネル・マトリクスＨと、ビームフォーミング・マトリクスＶと、ダウンリンク干渉情報Ｉとの積を取得するために、ダウンリンク干渉情報を利用することによりビームフォーミングされた第２アップリンク・メジャーメント・リファレンス信号に対してチャネル推定を実行する。このようにして、ＢＳ３は、Ｈ＊Ｖ＊Ｉの積とＨ＊Ｖの積とに基づいて、ダウンリンク干渉情報Ｉを取得することができる。
【００７８】
方法１ｂ及び２ｂによって提供される実施形態では、基地局ＢＳ３によって使用されるチャネル推定方法は、例えば、最小平均二乗誤差（ｍｉｎｉｍｕｍ  ｍｅａｎ  ｓｑｕａｒｅ  ｅｒｒｏｒ，ＭＭＳＥ）方法であってもよい。
【００７９】
本発明の実施形態において提供されるアップリンク・メジャーメント・リファレンス信号を送信する方法の一実施形態において、ＵＥ１は、同一の時間ドメイン・リソース又は隣接する時間ドメイン・リソースを利用することにより、ダウンリンク干渉情報を利用することによりビームフォーミングされていない第１アップリンク・メジャーメント・リファレンス信号と、ダウンリンク干渉情報を利用することによりビームフォーミングされた第１アップリンク・メジャーメント・リファレンス信号とを送信してもよいし、又は同一の周波数ドメイン・リソース又は隣接する周波数ドメイン・リソースを利用することにより、ダウンリンク干渉情報を利用することによりビームフォーミングされていない第１アップリンク・メジャーメント・リファレンス信号と、ダウンリンク干渉情報を利用することによりビームフォーミングされた第１アップリンク・メジャーメント・リファレンス信号とを送信してもよい。代替的に、ＵＥ１は、同一のサイクリック・シフト又は異なるサイクリック・シフトを利用することにより、ダウンリンク干渉情報を利用することによりビームフォーミングされていない第１アップリンク・メジャーメント・リファレンス信号と、ダウンリンク干渉情報を利用することによりビームフォーミングされた第１アップリンク・メジャーメント・リファレンス信号とを送信してもよい。更に、前述の時間ドメイン・リソース、周波数ドメイン・リソース、及びサイクリック・シフトは組み合わせて使用されてもよい。例えば、代替的にＵＥ１は、同じ時間ドメイン・リソース及び隣接する周波数ドメイン・リソース、又は同じ時間ドメイン・リソース及び異なるサイクリック・シフトを利用することにより、ダウンリンク干渉情報を利用することによりビームフォーミングされていない第１アップリンク・メジャーメント・リファレンス信号と、ダウンリンク干渉情報を利用することによりビームフォーミングされた第１アップリンク・メジャーメント・リファレンス信号とを送信してもよい。ダウンリンク干渉情報を利用することによりビームフォーミングされていない第１アップリンク・メジャーメント・リファレンス信号と、ダウンリンク干渉情報を利用することによりビームフォーミングされた第１アップリンク・メジャーメント・リファレンス信号とを送信する方法のみが上述されているが、時間ドメイン・リソース、周波数ドメイン・リソース、及びサイクリック・シフトを送信する上記の方法はまた、ビームフォーミング・マトリクスＶを利用することによりビームフォーミングされた第２アップリンク・メジャーメント・リファレンス信号と、ダウンリンク干渉情報を利用することにより、２回目にビームフォーミングされた第２アップリンク・メジャーメント・リファレンス信号とに適用可能であることに留意すべきである。
【００８０】
図３は、本発明の一実施形態に従ってアップリンク・メジャーメント・リファレンス信号をＵＥ１により送信することについてのリソース構成図である。ＵＥ１は、例えばサブフレーム（ｓｕｂ−ｆｒａｍｅ）等の同じ時間ドメイン・リソース、例えばコム（ｃｏｍｂ）等の同じ周波数ドメイン・リソース、及び異なるサイクリック・シフト（ｃｙｃｌｉｃ  ｓｈｉｆｔ）において、ダウンリンク干渉情報を利用することによりビームフォーミングされていない第１アップリンク・メジャーメント・リファレンス信号ＳＲＳ１（θ１）と、ダウンリンク干渉情報を利用することによりビームフォーミングされた第１アップリンク・メジャーメント・リファレンス信号ＳＲＳ２（θ２）とを送信し、これにより２つの信号ＳＲＳ１（θ１）とＳＲＳ２（θ２）との間の直交性を保証する。θ１及びθ２は、異なるサイクリック・シフト又は位相を表す。ＳＲＳ１（θ１）のシーケンスは、ｅｊθ１ｎＦ（ｎ）であってもよく、ＳＲＳ２（θ２）のシーケンスは、ｅｊθ２ｎＦ（ｎ）であってもよい。ＳＲＳ１（θ１）及びＳＲＳ２（θ２）は同じコムに配置されてもよい。
【００８１】
更に、ＳＲＳ１（θ１）は、代替的に、ビームフォーミング・マトリクスＶを利用することによりビームフォーミングされた第２アップリンク・メジャーメント・リファレンス信号を表してもよく、ＳＲＳ２（θ２）は、代替的に、ダウンリンク干渉情報を利用することによりビームフォーミングされた第２アップリンク・メジャーメント・リファレンス信号を表してもよい。
【００８２】
図４は、アップリンク・メジャーメント・リファレンス信号をＵＥにより送信することについての別のオプションのリソース構成図である。ＵＥは、例えばサブフレーム（ｓｕｂ−ｆｒａｍｅ）等の同じ時間ドメイン・リソース、異なるコム（例えば、隣接するコム）において、ダウンリンク干渉情報を利用することによりビームフォーミングされていない第１アップリンク・メジャーメント・リファレンス信号ＳＲＳ１と、ダウンリンク干渉情報を利用することによりビームフォーミングされた第１アップリンク・メジャーメント・リファレンス信号ＳＲＳ２とを送信し、これにより２つの信号ＳＲＳ１とＳＲＳ２との間の直交性を保証する。ＳＲＳ１は、代替的に、ビームフォーミング・マトリクスＶを利用することによりビームフォーミングされた第２アップリンク・メジャーメント・リファレンス信号を表してもよく、ＳＲＳ２は、代替的に、ダウンリンク干渉情報を利用することによりビームフォーミングされた第２アップリンク・メジャーメント・リファレンス信号を表してもよい。図３及び図４に示されるリソース構成図において、横軸は時間（サブフレーム）を表し、左斜線で満たされた領域と右斜線で満たされた領域とはそれぞれ異なるコムを表す。
【００８３】
図５は、アップリンク・メジャーメント・リファレンス信号をＵＥにより送信することについての別のオプションのリソース構成図である。ＵＥは、同じサブフレーム（ｓｕｂ−ｆｒａｍｅ）の中の異なるシンボルにおいて、ダウンリンク干渉情報を利用することによりビームフォーミングされていない第１アップリンク・メジャーメント・リファレンス信号ＳＲＳ１と、ダウンリンク干渉情報を利用することによりビームフォーミングされた第１アップリンク・メジャーメント・リファレンス信号ＳＲＳ２とを送信し、これにより２つの信号ＳＲＳ１及びＳＲＳ２間の直交性を保証し、更に、アップリンク・メジャーメント・リファレンス信号送信に関して蓄積される電力を改善する。ＳＲＳ１は、代替的に、ビームフォーミング・マトリクスＶを利用することによりビームフォーミングされた第２アップリンク・メジャーメント・リファレンス信号を表してもよく、ＳＲＳ２は、代替的に、ダウンリンク干渉情報を利用することによりビームフォーミングされた第２アップリンク・メジャーメント・リファレンス信号を表してもよい。ＳＲＳ１及びＳＲＳ２は、同一の周波数ドメイン・リソース又は異なる周波数ドメイン・リソースを利用してもよい。これはこの実施形態で限定されない。
【００８４】
図５に示されるリソース構成図において、横軸は時間（サブフレーム）を表し、左斜線で満たされた領域と右斜線で満たされた領域とは別々に異なるシンボルを表す。図３ないし図５に示されるリソース構成図を参照すると、ＵＥ１は、例えば２サブフレーム毎に１回、アップリンク・メジャーメント・リファレンス信号を周期的に送信してもよい。更に、代替的にＵＥ１は、別の目的で複数のアップリンク・メジャーメント・リファレンス信号を送信することもでき（例えば、ＵＥ１がセルの端又はセルの中央位置に位置する場合、ＵＥ１はアップリンク・メジャーメント・リファレンス信号をそれぞれ送信する）、例えば、第１サブフレームにおいて、ビームフォーミング・マトリクスＶ１を利用することによりビームフォーミングされた第２アップリンク・メジャーメント・リファレンス信号と、ダウンリンク干渉情報及びビームフォーミング・マトリクスＶ１を利用することにより２回目にビームフォーミングされた第２アップリンク・メジャーメント・リファレンス信号とを送信し、第４サブフレームにおいて、ビームフォーミング・マトリクスＶ２を利用することによりビームフォーミングされた第２アップリンク・メジャーメント・リファレンス信号と、ダウンリンク干渉情報及びビームフォーミング・マトリクスＶ２を利用することにより２回目にビームフォーミングされた第２アップリンク・メジャーメント・リファレンス信号とを送信してもよい。基地局ＢＳ３は、チャネル及び干渉推定を実行するためにアップリンク・メジャーメント・リファレンス信号のうちの１つを選択することができ（例えば、第４サブフレームで送信された、ビームフォーミング・マトリクスＶ２を利用することによりビームフォーミングされた第２アップリンク・メジャーメント・リファレンス信号と、ダウンリンク干渉情報及びビームフォーミング・マトリクスＶ２を利用することにより２回目にビームフォーミングされた第２アップリンク・メジャーメント・リファレンス信号とを選択し）、ＢＳ３がダウンリンク・データを送信する場合のビームフォーミング方法Ｗと変調及び符号化方式（ｍｏｄｕｌａｔｉｏｎ  ａｎｄ  ｃｏｄｉｎｇ  ｓｃｈｅｍｅ，ＭＣＳ）レベルを決定する。相応して、第２アップリンク・メジャーメント・リファレンス信号を送信する際にＵＥ１がビームフォーミング・マトリクスＶ２を使用する場合、ＵＥ１はまた、ダウンリンク・データを受信する際に、ビームフォーミング・マトリクスＶ２を使用してデータを受信してもよい。ＵＥ１がビームフォーミング・マトリクスＶ２によってデータを受信することを保証にするために、基地局は、コードブック情報を通じて（前述の方法２ａで述べたコードブック情報を通じて）ビームフォーミング・マトリクスＶ２をＵＥ１に通知することができ、ＵＥ１は、コードブック情報に基づいてビームフォーミング・マトリクスＶ２を取得する。更に、代替的にＢＳ３は、第２アップリンク・メジャーメント・リファレンス信号のリソース・インデックスをＵＥ１に通知してもよい（アップリンク・メジャーメント・リファレンス信号は、リソースとして解釈されてもよい）。ＵＥ１は、リソース・インデックスに基づいて、ビームフォーミング・マトリクスＶ２を利用することによりビームフォーミングされた対応する第２アップリンク・メジャーメント・リファレンス信号を決定し、それにより、ビームフォーミング・マトリクスＶ２が、第２アップリンク・メジャーメント・リファレンス信号の送信中に使用されることを学習する。
【００８５】
ＵＥ１が１つのタイプのアップリンク・メジャーメント・リファレンス信号を送信する場合、例えば、第１サブフレームにおいて、ビームフォーミング・マトリクスＶ１を利用することによりビームフォーミングされた第２アップリンク・メジャーメント・リファレンス信号と、ダウンリンク干渉情報及びビームフォーミング・マトリクスＶ１を利用することにより２回目にビームフォーミングされた第２アップリンク・メジャーメント・リファレンス信号と送信し、第４サブフレームにおいて、ビームフォーミング・マトリクスＶ１を利用することによりビームフォーミングされた第２アップリンク・メジャーメント・リファレンス信号と、ダウンリンク干渉情報及びビームフォーミング・マトリクスＶ１を利用することにより２回目にビームフォーミングされた第２アップリンク・メジャーメント・リファレンス信号と送信する場合、ＢＳ３は、ビームフォーミング情報を受信することを端末に命令しなくてもよく、ＵＥ１のトランシーバ・アンテナが同じビームフォーミングのまま留まるならば、ＵＥ１のトランシーバ・アンテナは、ＢＳ１からダウンリンク・データを受信することができる。更に、ＵＥ１が方法１ａ又は１ｂでアップリンク・メジャーメント・リファレンス信号を送信する場合に、ＵＥ１のトランシーバ・アンテナはまた、ＢＳ１からダウンリンク・データを受信するために、同じビームフォーミングのまま留まることができる。
【００８６】
本発明において提供される前述の実施形態において、本発明の実施形態において提供されるアップリンク・メジャーメント・リファレンス信号を送信する方法は、ユーザー装置及び基地局、並びにユーザー装置と基地局との間の相互作用の観点から別々に説明される。前述の機能を実装するために、ユーザー装置及び基地局等のネットワーク要素は、機能を実装するための対応するハードウェア構造及び／又はソフトウェア・モジュールを含むことが理解され得る。当業者は、本明細書で開示される実施形態で説明される例とのと組み合わせにおいて、ユニット、アルゴリズムのステップが、ハードウェア又はハードウェアとコンピュータ・ソフトウェアの組み合わせによって本発明において実現され得ることに容易に気付くはずである。コンピュータ・ソフトウェアによって駆動されるハードウェア又はハードウェアによって機能が実行されるか否かは、特定のアプリケーション及び技術的ソリューションの設計制約に依存する。当業者は、各々特定のアプリケーションについて、説明された機能を実装するために様々な方法を使用し得るが、その実装が本発明の範囲を超えるように考えられるべきではない。
【００８７】
図６は、本発明の一実施形態によるネットワーク側デバイスの可能な概略構造図である。ネットワーク側デバイスは、図１及び図２に示される基地局ＢＳ１、ＢＳ２、及びＢＳ３であってもよい。
【００８８】
この実施形態で提供されるネットワーク側デバイスは主に以下を含む：
【００８９】
第４の態様によれば、本発明の一実施形態はネットワーク側デバイスを提供し、ネットワーク側デバイスは主にトランシーバ６０１及びプロセッサ６０２（コントローラとも呼ばれる）を含む。更に、ネットワーク側デバイスは、メモリ６０３を更に含み得る。
【００９０】
トランシーバ６０１は、主に、ネットワーク側デバイスによって信号を受信及び送信するように、例えば、ユーザー装置により送信されたアップリンク・メジャーメント・リファレンス信号を受信するように構成され、アップリンク・メジャーメント・リファレンス信号は、ネットワーク側デバイスのダウンリンク・チャネルのダウンリンク干渉情報を運ぶ。
【００９１】
プロセッサ６０２は、主に、ネットワーク側デバイスで制御管理を実行するように、    例えば、トランシーバ６０１によって受信されたアップリンク・メジャーメント・リファレンス信号に対してダウンリンク干渉推定を実行し、ダウンリンク干渉情報を得るように構成される。一例では、コントローラ／プロセッサ６０２は、図２の基地局ＢＳ３側における方法のステップ、例えばステップ１０８を実行する際に、ネットワーク側デバイスをサポートするように構成される。メモリ６０３は、ネットワーク側デバイスのプログラム・コード及びデータを格納するように構成される。
【００９２】
オプションとして、ネットワーク側デバイスのトランシーバ６０１によって受信されるアップリンク・メジャーメント・リファレンス信号は、初期の第１アップリンク・メジャーメント・リファレンス信号と、ダウンリンク干渉情報を利用することによりビームフォーミングされた第１アップリンク・メジャーメント・リファレンス信号とを含む。ネットワーク・デバイスのプロセッサ６０２が、アップリンク・メジャーメント・リファレンス信号に対してダウンリンク干渉推定を実行し、ダウンリンク・チャネルの干渉情報を取得する場合については、前述の方法の実施形態における方法１ｂの関連説明を参照されたい。詳細はここで再び説明されない。
【００９３】
オプションとして、ネットワーク側デバイスのトランシーバ６０１によって受信されるアップリンク・メジャーメント・リファレンス信号は、ビームフォーミング・マトリクスＶを利用することによりビームフォーミングされた第２アップリンク・メジャーメント・リファレンス信号と、ビームフォーミング・マトリクスＶを利用することによりビームフォーミングされた第２アップリンク・メジャーメント・リファレンス信号を、ダウンリンク干渉情報を利用することにより、２回目にビームフォーミングすることにより取得された第２アップリンク・メジャーメント・リファレンス信号とを含む。ネットワーク側デバイスのプロセッサがアップリンク・メジャーメント・リファレンス信号に対してダウンリンク干渉推定を実行し、ダウンリンク・チャネルの干渉情報を取得する場合については、前述の方法の実施形態における方法２ｂの関連説明を具体的に参照されたい。詳細はここで再び説明されない。
【００９４】
オプションとして、ネットワーク側デバイスのトランシーバ６０１は、更に：ユーザー装置により送信されるアップリンク・メジャーメント・リファレンス信号を受信する前に、命令メッセージをユーザー装置へ送信するように構成され、命令メッセージは、ダウンリンク干渉情報をネットワーク側デバイスへ送信することを、ユーザー装置に命令するために使用される。
【００９５】
図６は、単にネットワーク側デバイスの単純化されたデザインを示すに過ぎないことが理解され得る。実際のアプリケーションでは、ネットワーク側デバイスは、任意の数量の送信機、受信機、プロセッサ、コントローラ、変調器、メモリ等を含み得る。本発明を実現することができるすべてのネットワーク側デバイスは、本発明の保護範囲内に属する。
【００９６】
図７は、本発明の一実施形態によるユーザー装置の可能な概略構造図である。ユーザー装置は、図１及び図２に示されるＵＥ１ないしＵＥ６であってもよい。
【００９７】
この実施形態で提供されるユーザー装置は主にトランシーバ７０１及びプロセッサ７０２（コントローラとも呼ばれ得る）を含む。更に、ユーザー装置はメモリ７０３を更に含んでもよい。
【００９８】
プロセッサ７０２は、主に、ユーザー装置で制御管理を実行するように、例えば、ネットワーク側デバイスのダウンリンク・チャネルのダウンリンク干渉情報を取得するように構成される。トランシーバ７０１は、主に、ユーザー装置によって信号を受信及び送信するように、例えば、アップリンク・メジャーメント・リファレンス信号をネットワーク側デバイスへ送信するように構成され、アップリンク・メジャーメント・リファレンス信号は、ダウンリンク干渉情報を運ぶ。一例において、コントローラ／プロセッサ７０２は、図２のＵＥ１側における方法のステップ、例えばステップ１０４を実行する際に、ユーザー装置をサポートするように構成される。メモリ７０３は、ユーザー装置のプログラム・コード及びデータを格納するように構成される。
【００９９】
オプションとして、ユーザー装置のトランシーバ７０１がアップリンク・メジャーメント・リファレンス信号をネットワーク側デバイスへ送信することは、具体的には、前述の方法の実施形態における方法１ａ又は２ａの関連説明を使用することができる。詳細はここで再び説明されない。更に、ユーザー装置のトランシーバ７０１は、同じ時間ドメイン・リソース又は隣接する時間ドメイン・リソースを利用することによって、初期の第１アップリンク・メジャーメント・リファレンス信号と、ダウンリンク干渉情報を利用することによってビームフォーミングされた第１アップリンク・メジャーメント・リファレンス信号とを送信することができる。代替的に、ユーザー装置のトランシーバ７０１は、同じ周波数ドメイン・リソース又は隣接する周波数ドメイン・リソースを利用することによって、初期の第１アップリンク・メジャーメント・リファレンス信号と、ダウンリンク干渉情報を利用することによってビームフォーミングされた第１アップリンク・メジャーメント・リファレンス信号とを送信することができる。代替的に、ユーザー装置のトランシーバ７０１は、同じサイクリック・シフト又は異なるサイクリック・シフトを利用することによって、初期の第１アップリンク・メジャーメント・リファレンス信号と、ダウンリンク干渉情報を利用することによってビームフォーミングされた第１アップリンク・メジャーメント・リファレンス信号とを送信することができる。代替的に、ユーザー装置のトランシーバ７０１は、同じ時間周波数リソース及び異なるサイクリック・シフトを利用することによって、初期の第１アップリンク・メジャーメント・リファレンス信号と、ダウンリンク干渉情報を利用することによってビームフォーミングされた第１アップリンク・メジャーメント・リファレンス信号とを送信することができる。具体的な送信プロセスについては、図３ないし図５の関連説明を参照されたい。
【０１００】
オプションとして、ユーザー装置のトランシーバ７０１は、更に：ビームフォーミング・マトリクスＶを利用することによりビームフォーミングされた第２アップリンク・メジャーメント・リファレンス信号をネットワーク側デバイスへ送信する前に、ネットワーク側デバイスによって送信されたコードブック情報を受信するように構成され、プロセッサ７０２は、コードブック情報に基づいてビームフォーミング・マトリクスＶを取得するように更に構成される。
【０１０１】
オプションとして、ユーザー装置のトランシーバ７０１は、更に：プロセッサ７０２がネットワーク側デバイスのダウンリンク・チャネルのダウンリンク干渉情報を取得する前に、ネットワーク側デバイスによって送信される命令メッセージを受信するように構成され、命令メッセージは、ダウンリンク干渉情報をネットワーク側デバイスへ送信することを、ユーザー装置に命令するために使用される。
【０１０２】
ネットワーク側デバイスにより送信される命令メッセージは、初期の第１アップリンク・メジャーメント・リファレンス信号と、ダウンリンク干渉情報を利用することによりビームフォーミングされた第１アップリンク・メジャーメント・リファレンス信号とを、同時に又は一緒にネットワーク側デバイスへ送信することを、ユーザー装置に命令するために使用されてもよい。代替的に、命令メッセージは、ビームフォーミング・マトリクスＶを利用することによりビームフォーミングされた第２アップリンク・メジャーメント・リファレンス信号と、ダウンリンク干渉情報を利用することにより２回目にビームフォーミングされた第２アップリンク・メジャーメント・リファレンス信号とを、同時に又は一緒にネットワーク側デバイスへ送信することを、ユーザー装置に命令するために使用されてもよい。命令メッセージは、アップリンク・メジャーメント・リファレンス信号スケジューリング・シグナリングであってもよい。
【０１０３】
図７は、単にユーザー装置の単純化されたデザインを示すに過ぎないことが理解され得る。実際のアプリケーションにおいて、ユーザー装置は、任意の数量の送信機、受信機、プロセッサ、コントローラ、変調器、メモリ、ディスプレイ等を含み得る。本発明を実現することができるすべてのユーザー装置は、本発明の保護範囲内に属する。
【０１０４】
本発明の実施形態は、アップリンク・メジャーメント・リファレンス信号を送信するためのシステムを更に提供する。システムは、前述の実施形態で説明したユーザー装置及びネットワーク側デバイスを含む。ユーザー装置及びネットワーク側デバイスの具体的な構造及び機能については、前述の実施形態の関連説明を参照されたい。詳細はここで再び説明されない。
【０１０５】
本発明の実施形態において開示される内容との組み合わせで説明される方法又はアルゴリズム・ステップは、ハードウェアにより実現されてもよく、又はソフトウェア命令を実行することよりプロセッサにより実現されてもよい。ソフトウェア命令は、対応するソフトウェア・モジュールを含んでもよい。ソフトウェア・モジュールは、メモリ、フラッシュ、リード・オンリー・メモリ、レジスタ、ハード・ディスク、リムーバブル・ハード・ディスク、光ディスク、又は当技術分野で周知の他の形態の任意の記憶媒体に保存され得る。例えば、記憶媒体はプロセッサに結合され、そのためプロセッサは、記憶媒体から情報を読み込む、又は記憶媒体に情報を書き込むことができる。もちろん、記憶媒体はプロセッサのコンポーネントであってもよい。プロセッサ及び記憶媒体はＡＳＩＣに配置されてもよい。更に、ＡＳＩＣはユーザー装置に配置されてもよい。もちろん、プロセッサ及び記憶媒体は、個別コンポーネントとしてユーザー装置内に存在してもよい。
【０１０６】
当業者は、前述の１つ以上の例において、本発明で説明される機能は、ハードウェア、ソフトウェア、ファームウェア、又はそれらの任意の組み合わせによって実現可能であることに気付くはずである。ソフトウェアによって実現される場合、前述の機能は、コンピュータ読み取り可能な媒体に保存されてもよいし、又はコンピュータ読み取り可能な媒体において１つ以上の命令又はコードとして伝送されてもよい。コンピュータ読み取り可能な媒体は、コンピュータ記憶媒体及び通信媒体を含み、通信媒体は、ある場所から他の場所へコンピュータプログラムが伝送されることを可能にする任意の媒体を含む。記憶媒体は、汎用又は特定目的のコンピュータにアクセス可能な任意の利用可能な媒体であってよい。
【０１０７】
本発明の目的、技術的ソリューション、及び有益な効果は、前述の特定の実施形態において更に詳細に説明されている。前述の説明は、単に本発明の特定の実施形態であるに過ぎず、本発明の保護範囲を限定するようには意図されていないことが理解されるべきである。本発明の技術的ソリューションに基づいて行われるいかなる修正、均等な置換、又は改良も、本発明の保護範囲内に属するものとする。
【図１】
0006808051.tif 000002
【図２】
0006808051.tif 000003
【図３】
0006808051.tif 000004
【図４】
0006808051.tif 000005
【図５】
0006808051.tif 000006
【図６】
0006808051.tif 000007
【図７】
0006808051.tif 000008